(57)【要約】  本発明は、それぞれのRRUのRSRPを獲得することができる、通信ネットワークの技術分野に関する基準信号受信電力を測定するための方法およびデバイスを開示する。本発明の実施形態によって提供される方式によれば、基地局は、複数のRRUを有する複合セル内のそれぞれのRRUに関して、または複数のRRUを有する複合セル内およびその隣接セル内のそれぞれのRRUに関して、異なる時間周波数位置におけるCSI-RSを構成し、基地局は、UEがそれぞれのCSI-RSの時間周波数位置に従ってRSRPを測定するように、それぞれのCSI-RSをUEに送信し、前記基地局は、UEによって報告されたそれぞれのCSI-RSおよびそれぞれのCSI-RSに対応するRSRPを受信して、複数のRRUを有する複合セル内のそれぞれのRRUのRSRP、または複数のRRUを有する複合セル内およびその隣接セル内のそれぞれのRRUのRSRPを獲得する。本発明の実施形態は、基準信号受信電力測定を実行するために使用されるのに適している。
2015505181.tif 000002
【特許請求の範囲】
【請求項１】
基準信号受信電力を測定するための方法であって、
基地局によって、複数の無線遠隔ユニットRRUを有する複合セル内のそれぞれのRRUに関して、または複数のRRUを有する前記複合セル内およびその隣接セル内のそれぞれのRRUに関して、異なる時間周波数位置におけるチャネル状態情報基準信号CSI-RSを構成するステップと、
ユーザ装置UEが前記それぞれのCSI-RSの前記時間周波数位置に従って基準信号受信電力RSRPを測定するように、前記基地局によって、前記それぞれのCSI-RSを前記UEに送信するステップと、
前記基地局によって、前記UEによって報告された前記それぞれのCSI-RSおよび前記それぞれのCSI-RSに対応する前記RSRPを受信して、複数のRRUを有する前記複合セル内の前記それぞれのRRUの前記RSRP、または複数のRRUを有する前記複合セル内およびその前記隣接セル内の前記それぞれのRRUの前記RSRPを獲得するステップと
を含む方法。
【請求項２】
前記基地局によって、複数のRRUを有する前記複合セル内の前記それぞれのRRUの前記RSRP、または複数のRRUを有する前記複合セル内およびその前記隣接セル内の前記それぞれのRRUの前記RSRPを獲得する前記ステップが、
前記基地局によって、複数のRRUを有する前記複合セル内の前記それぞれのRRUに関して構成された異なるCSI-RSおよび前記それぞれのCSI-RSに対応する前記RSRPに従って、複数のRRUを有する前記複合セル内の前記それぞれのRRUの前記RSRP、または複数のRRUを有する前記複合セル内およびその前記隣接セル内の前記それぞれのRRUの前記RSRPを獲得するステップ
を含む、請求項1に記載の方法。
【請求項３】
前記基地局によって、複数のRRUを有する前記複合セル内の前記それぞれのRRUの前記RSRPを獲得する前記ステップの後で、
前記基地局によって、複数のRRUを有する前記複合セル内の前記それぞれのRRUの前記獲得されたRSRPに従って、複数のRRUを有する前記複合セル内の少なくとも1つのRRUのダウンリンク送信電力を調整するステップ
をさらに含む、請求項1に記載の方法。
【請求項４】
前記基地局によって、複数のRRUを有する前記複合セル内の少なくとも1つのRRUのダウンリンク送信電力を調整する前記ステップが、
複数のRRUを有する前記複合セル内の前記少なくとも1つのRRUが前記調整されたダウンリンク電力を採用して伝送を実行するように、前記基地局によって、前記少なくとも1つのRRUの出力電力調整値を設定するステップ、または
複数のRRUを有する前記複合セル内の前記少なくとも1つのRRUが前記構成されたダウンリンク電力を採用して伝送を実行するように、前記基地局によって、前記少なくとも1つのRRUのダウンリンク電力構成値を設定するステップ
を含む、請求項3に記載の方法。
【請求項５】
前記基地局によって、複数のRRUを有する前記複合セル内の前記それぞれのRRUの前記RSRPを獲得する前記ステップの後に、
前記基地局によって、複数のRRUを有する前記複合セル内およびその前記隣接セル内の前記それぞれのRRUの前記獲得されたRSRPに従って、複数のRRUを有する新しい複合セルになるように複数のRRUを有する前記複合セルを調整するステップであって、複数のRRUを有する前記新しい複合セルが、複数のRRUを有する前記複合セル内の前記RRUの一部またはすべてを含み、複数のRRUを有する前記複合セルの前記隣接セル内の前記RRUの一部またはすべてをやはり含む、調整するステップ
をさらに含む、請求項1に記載の方法。
【請求項６】
基準信号受信電力を測定するためのデバイスであって、
複数のRRUを有する複合セル内のそれぞれのRRUに関して、または複数のRRUを有する前記複合セル内およびその隣接セル内のそれぞれのRRUに関して、異なる時間周波数位置におけるCSI-RSを構成するための構成ユニットと、
UEが前記それぞれのCSI-RSの前記時間周波数位置に従ってRSRPを測定するように、前記それぞれのCSI-RSを前記UEに送信するための送信ユニットと、
前記UEによって報告された前記それぞれのCSI-RSおよび前記それぞれのCSI-RSに対応する前記RSRPを受信して、複数のRRUを有する前記複合セル内の前記それぞれのRRUの前記RSRP、または複数のRRUを有する前記複合セル内およびその前記隣接セル内の前記それぞれのRRUの前記RSRPを獲得するための獲得ユニットと
を備えたデバイス。
【請求項７】
前記獲得ユニットが、
複数のRRUを有する前記複合セル内の前記それぞれのRRUに関して構成された異なるCSI-RSおよび前記それぞれのCSI-RSに対応する前記RSRPに従って、複数のRRUを有する前記複合セル内の前記それぞれのRRUの前記RSRP、または複数のRRUを有する前記複合セル内およびその前記隣接セル内の前記それぞれのRRUの前記RSRPを獲得する
ために使用される、請求項6に記載のデバイス。
【請求項８】
複数のRRUを有する前記複合セル内の前記それぞれのRRUの前記獲得されたRSRPに従って、複数のRRUを有する前記複合セル内の少なくとも1つのRRUのダウンリンク送信電力を調整するための第1の処理ユニット
をさらに備えた、請求項6に記載のデバイス。
【請求項９】
前記第1の処理ユニットが、
複数のRRUを有する前記複合セル内の前記少なくとも1つのRRUが前記調整されたダウンリンク電力を採用して伝送を実行するように、前記少なくとも1つのRRUの出力電力調整値を設定するための第1の設定モジュール、または
複数のRRUを有する前記複合セル内の前記少なくとも1つのRRUが前記構成されたダウンリンク電力を採用して伝送を実行するように、前記少なくとも1つのRRUのダウンリンク電力構成値を設定するための第2の設定モジュール
を備えた、請求項8に記載のデバイス。
【請求項１０】
複数のRRUを有する前記複合セル内およびその前記隣接セル内の前記それぞれのRRUの前記獲得されたRSRPに従って、複数のRRUを有する新しい複合セルになるように複数のRRUを有する前記複合セルを調整するための第2の処理ユニットであって、複数のRRUを有する前記新しい複合セルが、複数のRRUを有する前記複合セル内の前記RRUの一部またはすべてを含み、複数のRRUを有する前記複合セルの前記隣接セル内の前記RRUの一部またはすべてをやはり含む、第2の処理ユニット
をさらに備えた、請求項6に記載のデバイス。
【発明の詳細な説明】
【技術分野】
【０００１】
関連出願の相互参照
本出願は、その開示の全体が参照によって本明細書に組み込まれている「METHOD AND DEVICE FOR MEASURING REFERENCE SIGNAL RECEIVING POWER」という表題の、2012年10月15日に中華人民共和国の特許庁に出願した中国特許出願第201210389888.3号に対する優先権を主張するものである。
【０００２】
本発明は、通信ネットワークの技術分野に関し、より詳細には、基準信号受信電力を測定するための方法およびデバイスに関する。
【背景技術】
【０００３】
現在、無線遠隔ユニット(Radio Remote Unit、RRU)セル結合技法によってセル間干渉の問題を解決することができる。次の2つの結合様式を採用することによって、複数のRRUがセルとして結合される。第1の様式では、単一周波数ネットワーク(Single Frequency Network、SFN)セルと名付けることができるセルとして、同一のチャネルを有する複数のRRUが結合される。第2の様式では、N+Mセルと名付けることができるセルとして、N個のチャネルを有するRRUとM個のチャネルを有するRRUとが結合される。
【０００４】
複数のRRUを有する複合セル(combined cell with multiple RRUs)のダウンリンク基準信号受信電力(Reference Signal Receiving Power、RSRP)が測定されるとき、RSRPは、一般に、セル固有基準信号(Cell-specific reference signals、CRS)に従って測定され、セルのセルレベルのダウンリンクRSRP、すなわち、セル内の複数のRRU信号をセルの形で結合させた後の総RSRPを取得することができる。
【０００５】
しかし、従来技術を採用することによって基準信号受信電力が測定されるとき、複数のRRU信号を結合させた後の受信電力だけを取得することが可能である。このように、それぞれのRRUのダウンリンク基準信号受信電力は取得できないため、複数のRRUによる複合セルの境界横断カバレッジ(cross-boundary coverage)の発生は、境界横断カバレッジを有するRRUに関する電力設定の失敗につながる。
【発明の概要】
【発明が解決しようとする課題】
【０００６】
本発明は、それぞれのRRUのRSRPを獲得することができる、基準信号受信電力を測定するための方法およびデバイスを提供する。
【課題を解決するための手段】
【０００７】
一態様では、本発明は、基準信号受信電力を測定するための方法を提供し、この方法は、
基地局によって、複数の無線遠隔ユニット(RRU)を有する複合セル内のそれぞれのRRUに関して、または複数のRRUを有する複合セル内およびその隣接セル内のそれぞれのRRUに関して、異なる時間周波数位置におけるチャネル状態情報基準信号(Channel State Information - Reference Symbols、CSI-RS)を構成するステップと、
ユーザ装置(User Equipment、UE)がそれぞれのCSI-RSの時間周波数位置に従って基準信号受信電力(RSRP)を測定するように、基地局によって、それぞれのCSI-RSをUEに送信するステップと、
基地局によって、UEによって報告されたそれぞれのCSI-RSおよびそれぞれのCSI-RSに対応するRSRPを受信して、複数のRRUを有する複合セル内のそれぞれのRRUのRSRP、または複数のRRUを有する複合セル内およびその隣接セル内のそれぞれのRRUのRSRPを獲得するステップと
を含む。
【０００８】
第1の可能な実装様式では、第1の態様と組み合わせて、基地局によって、複数のRRUを有する複合セル内のそれぞれのRRUのRSRP、または複数のRRUを有する複合セル内およびその隣接セル内のそれぞれのRRUのRSRPを獲得するステップは、
基地局によって、複数のRRUを有する複合セル内のそれぞれのRRUに関して構成された異なるCSI-RSおよびそれぞれのCSI-RSに対応するRSRPに従って、複数のRRUを有する複合セル内のそれぞれのRRUのRSRP、または複数のRRUを有する複合セル内およびその隣接セル内のそれぞれのRRUのRSRPを獲得するステップ
を含む。
【０００９】
第2の可能な実装様式では、第1の態様と組み合わせて、この方法は、基地局によって、複数のRRUを有する複合セル内のそれぞれのRRUのRSRPを獲得するステップの後で、
基地局によって、複数のRRUを有する複合セル内のそれぞれのRRUの獲得されたRSRPに従って、複数のRRUを有する複合セル内の少なくとも1つのRRUのダウンリンク送信電力を調整するステップ
をさらに含む。
【００１０】
第3の可能な実装様式では、第1の態様の第2の可能な実装様式と組み合わせて、基地局によって、複数のRRUを有する複合セル内の少なくとも1つのRRUのダウンリンク送信電力を調整するステップが、
複数のRRUを有する複合セル内の少なくとも1つのRRUが調整されたダウンリンク電力を採用して伝送を実行するように、基地局によって、その少なくとも1つのRRUの出力電力調整値を設定するステップ、または
複数のRRU内の複合セル内の少なくとも1つのRRUが構成されたダウンリンク電力を採用して伝送を実行するように、基地局によって、その少なくとも1つのRRUのダウンリンク電力構成値を設定するステップ
を含む。
【００１１】
第4の可能な実装様式では、第1の態様と組み合わせて、この方法は、基地局によって、複数のRRUを有する複合セル内のそれぞれのRRUのRSRPを獲得するステップの後で、
基地局によって、複数のRRUを有する複合セル内およびその隣接セル内のそれぞれのRRUの獲得されたRSRPに従って、複数のRRUを有する新しい複合セルになるように複数のRRUを有する複合セルを調整するステップであって、複数のRRUを有する新しい複合セルが、複数のRRUを有する複合セル内のRRUの一部またはすべてを含み、複数のRRUを有する複合セルの隣接セル内のRRUの一部またはすべてをやはり含む、調整するステップ
をさらに含む。
【００１２】
第2の態様では、本発明は、基準信号受信電力を測定するためのデバイスを提供し、このデバイスは、
複数のRRUを有する複合セル内のそれぞれのRRUに関して、または複数のRRUを有する複合セル内およびその隣接セル内のそれぞれのRRUに関して、異なる時間周波数位置におけるCSI-RSを構成するための構成ユニットと、
UEがそれぞれのCSI-RSの時間周波数位置に従って基準信号受信電力(RSRP)を測定するように、それぞれのCSI-RSをUEに送信するための送信ユニットと、
UEによって報告されたそれぞれのCSI-RSおよびそれぞれのCSI-RSに対応するRSRPを受信して、複数のRRUを有する複合セル内のそれぞれのRRUのRSRP、または複数のRRUを有する複合セル内およびその隣接セル内のそれぞれのRRUのRSRPを獲得するための獲得ユニットと
を備える。
【００１３】
第1の可能な実装様式では、第2の態様と組み合わせて、獲得ユニットは、
複数のRRUを有する複合セル内のそれぞれのRRUに関して構成された異なるCSI-RSおよびそれぞれのCSI-RSに対応するRSRPに従って、複数のRRUを有する複合セル内のそれぞれのRRUのRSRP、または複数のRRUを有する複合セル内およびその隣接セル内のそれぞれのRRUのRSRPを獲得する
ために使用される。
【００１４】
第2の可能な実装態様では、第2の態様と組み合わせて、このデバイスは、
複数のRRUを有する複合セル内のそれぞれのRRUの獲得されたRSRPに従って、複数のRRUを有する複合セル内の少なくとも1つのRRUのダウンリンク送信電力を調整するための第1の処理ユニット
をさらに備える。
【００１５】
第3の可能な実装様式では、第2の態様の第2の可能な実装形態と組み合わせて、第1の処理ユニットは、
複数のRRUを有する複合セル内の少なくとも1つのRRUが調整されたダウンリンク電力を採用して伝送を実行するように、その少なくとも1つのRRUの出力電力調整値を設定するための第1の設定モジュール、または
複数のRRUを有する複合セル内の少なくとも1つのRRUが構成されたダウンリンク電力を採用して伝送を実行するように、その少なくとも1つのRRUのダウンリンク電力構成値を設定するための第2の設定モジュール
を備える。
【００１６】
第4の可能な実装様式では、第2の態様と組み合わせて、このデバイスは、
複数のRRUを有する複合セル内およびその隣接セル内のそれぞれのRRUの獲得されたRSRPに従って、複数のRRUを有する新しい複合セルになるように複数のRRUを有する複合セルを調整するための第2の処理ユニットであって、複数のRRUを有する新しい複合セルが、複数のRRUを有する複合セル内のRRUの一部またはすべてを含み、複数のRRUを有する複合セルの隣接セル内のRRUの一部またはすべてをやはり含む、第2の処理ユニット
をさらに備える。
【００１７】
本発明の実施形態によって提供される、基準信号受信電力を測定するための方法およびデバイスによれば、基地局は、複数のRRUを有する複合セル内のそれぞれのRRUに関して、または複数のRRUを有する複合セル内およびその隣接セル内のそれぞれのRRUに関して、異なる時間周波数位置におけるCSI-RSを構成し、基地局は、UEがそれぞれのCSI-RSの時間周波数位置に従って基準信号受信電力(RSRP)を測定するように、それぞれのCSI-RSをUEに送信し、基地局は、UEによって報告されたそれぞれのCSI-RSおよびそれぞれのCSI-RSに対応するRSRPを受信して、複数のRRUを有する複合セル内のそれぞれのRRUのRSRP、または複数のRRUを有する複合セル内およびその隣接セル内のそれぞれのRRUのRSRPを獲得する。
【００１８】
従来技術では、基準信号受信電力が測定されるとき、複数のRRU信号を結合させた後の受信電力しか獲得することができず、このようにして、複数のRRUを有する複合セル内の境界横断カバレッジが発生するとき、それぞれのRRUのダウンリンクRSRPを獲得することができないため、境界横断カバレッジのRRUに関する電力設定を実現することができない。本発明の実施形態によって提供される解決策では、複数のRRUを有する複合セル内のそれぞれのRRUに関して、または複数のRRUを有する複合セル内およびその隣接セル内のそれぞれのRRUに関して、異なるCSI-RSが構成される間に、端末は、CSI-RSの時間周波数位置に従ってRSRPを測定することが可能にされ、それによって、それぞれのRRUの基準信号受信電力を獲得する。
【００１９】
本発明の実施形態または従来技術の技術的解決策をより明瞭に例示するために、実施形態または従来技術を説明する際に必要とされる図面に関して簡単な説明が下で行われる。明らかに、下で説明される図面は、何の発明的取組みも伴わずに、それらに基づいて当業者が他の図面を取得することも可能な、本発明の単にいくつかの実施形態にすぎない。
【図面の簡単な説明】
【００２０】
【図１】本発明の第1の実施形態によって提供される、基準信号受信電力を測定するためのある方法の流れ図である。
【図２】本発明の第1の実施形態によって提供される、基準信号受信電力を測定するための別の方法の流れ図である。
【図３】本発明の第1の実施形態によって提供される、境界横断カバレッジの概略図である。
【図４】本発明の第1の実施形態によって提供される、基準信号受信電力を測定するためのさらに別の方法の流れ図である。
【図５】本発明の第2の実施形態によって提供される、基準信号受信電力を測定するための、あるデバイスのブロック図である。
【図６】本発明の第2の実施形態によって提供される、基準信号受信電力を測定するための別のデバイスのブロック図である。
【図７】本発明の第2の実施形態によって提供される、ある基地局のブロック図である。
【発明を実施するための形態】
【００２１】
本発明の実施形態の技術的解決策は、本発明の実施形態において図面に関して以下で明瞭かつ十分に説明される。明らかに、説明される実施形態は、本発明の実施形態のすべてではなく、単にそれらの一部である。何の発明的取組みも伴わずに、発明の実施形態に基づいて当業者によって導出されうるすべてのその他の実施形態は、本発明の保護範囲に該当する。
【００２２】
第1の実施形態
本発明の実施形態は、基準信号受信電力を測定するためのある方法を提供する。この方法は基地局によって実行される。図1に示されるように、この方法は次のステップを含む。
【００２３】
ステップ101、基地局は、複数のRRUを有する複合セル内のそれぞれのRRUに関して、または複数のRRUを有する複合セル内およびその隣接セル内のそれぞれのRRUに関して、異なる時間周波数位置におけるチャネル状態情報基準信号(CSI-RS)を構成する。
【００２４】
RRUは、無線遠隔ユニットであり、光ファイバを介して無線周波数ユニットを遠隔終端において目標カバレッジ領域に引き寄せるための手段であり、ベースバンド信号はこの光ファイバ内で送信される。ビルディングベースバンドユニット(Building Baseband Unit、BBU)は機械室内に集中している。RRUはアンテナ側に設置可能であり、1つのBBUは複数のRRUをサポートすることができる。
【００２５】
基地局同士の間の過剰に短い距離により、アンテナの下方傾斜角を調整することなどによってセル間干渉を解決するのは困難であり、したがって、複数のRRUを有する複合セル技術が紹介される。複数のRRUを有する複合セルは、セル全体によって送信して、セクタ(カバレッジ領域)によって受信することを意味する。セルのカバレッジ領域は、複数のセクタまたは複数の小さなカバレッジ領域に分割される。それぞれのセクタまたはそれぞれの小さなカバレッジ領域は、異なる受信アンテナを使用して受信して、セクタまたはカバレッジ領域のすべては同じ送信信号を有する。アップリンク方向で、複数のRRUによって受信された信号は処理のためにそれぞれBBUに転送され、ダウンリンク方向で、生成されたダウンリンク信号は複数のコピーに複製されて、それぞれのRRUに送信され、それによって、セル全体様式の効果を実現する。
【００２６】
ステップ102、基地局は、ユーザ装置(UE)がそれぞれのCSI-RSの時間周波数位置に従って基準信号受信電力(RSRP)を測定するように、それぞれのCSI-RSをUEに送信する。
【００２７】
基地局は、異なるRRUに異なるCSI-RSを割り振って、CSI-RSをUEに送信することが可能であり、CSI-RSは異なる時間周波数位置を有する異なるRRUに対応する。
【００２８】
LTEネットワーク内の無線信号強度を表すことが可能な主なパラメータのうちの1つとして、RSRPは、ある記号の形で基準信号を伝達するすべてのリソース要素(Resource Element、RE)において受信された信号電力の平均値である。
【００２９】
従来技術では、セルのダウンリンク信号強度が測定されるとき、RSRPは、一般に、CRSに従って測定される。しかし、従来技術では、測定されたRSRPは、セルを単位と理解し、すなわち、RSRPはセルの複数のRRUの総ダウンリンクRSRPの重畳値である。本発明では、基地局によってそれぞれのRRUに関して、異なるCSI-RSが構成され、その結果、UEはCSI-RSの時間周波数位置によってRSRPを測定し、セル内のそれぞれのRRUのRSRPを取得することができ、すなわち、RRUレベルでダウンリンクRSRPが取得される。
【００３０】
ステップ103、基地局は、UEによって報告されたそれぞれのCSI-RSおよびそれぞれのCSI-RSに対応するRSRPを受信して、複数のRRUを有する複合セル内のそれぞれのRRUのRSRP、または複数のRRUを有する複合セル内およびその隣接セル内のそれぞれのRRUのRSRPを獲得する。
【００３１】
このステップで、基地局は、内部マッピングによってそれぞれのRRUのRSRPを取得し、詳細には、基地局は、複数のRRUを有する複合セル内のそれぞれのRRUに関して構成された異なるCSI-RSおよびそれぞれのCSI-RSに対応するRSRPに従って、複数のRRUを有する複合セル内のそれぞれのRRUのRSPS、または複数のRRUを有する複合セル内およびその隣接セル内のそれぞれのRRUのRSPSを獲得する。
【００３２】
本発明の実施形態によって提供される、基準信号受信電力を測定するための方法によれば、複数のRRUを有する複合セル内のそれぞれのRRUに関して、または複数のRRUを有する複合セル内およびその隣接セル内のそれぞれのRRUに関して、異なるCSI-RSが構成され、その結果、端末は、CSI-RSの時間周波数位置に従ってRSRPを測定することができ、それによって、それぞれのRRUの基準信号受信電力を獲得する。
【００３３】
本発明は、基準信号受信電力を測定するための別の方法を提供する。図2に示されるように、この方法は、次のステップを含む。
【００３４】
ステップ201、基地局は、複数の無線遠隔ユニット(RRU)を有する複合セル内のそれぞれのRRUに関して、異なる時間周波数位置におけるチャネル状態情報基準信号(CSI-RS)を構成する。
【００３５】
基地局は、複数のRRUを有する複合セル内の異なるRRUに関して、異なる時間周波数位置におけるCSI-RSを構成することができ、異なるCSI-RSは異なる時間周波数位置を有するCSI-RSを表し、時間周波数位置は、時間次元内のリソースと周波数次元内のリソースとが交差するリソース位置を表す。時間次元内のリソースは異なる伝送時間間隔(Transmission Time Intervals、TTI)であってよく、周波数次元内のリソースは異なる物理リソースブロック(Physical Resource Block、PRB)であってよい。詳細には、それぞれのRRUに関してCSI-RSを構成するとき、基地局は、複数のRRUを有する複合セル内のそれぞれのRRUのCSI-RSが異なることを保証することだけが必要である。したがって、通信プロトコル内で指定されたCSI-RSの異なる構成に従って、それぞれのRRUに関してCSI-RSを判断することが可能である
【００３６】
ステップ202、基地局は、ユーザ装置(UE)がそれぞれのCSI-RSの時間周波数位置に従って基準信号受信電力(RSRP)を測定するように、それぞれのCSI-RSをUEに送信する。
【００３７】
このステップで、基地局は、無線リソース制御(Radio Resource Control、RRC)接続再構成メッセージを送信することによって、それぞれのCSI-RSをUEに送信することができる。
【００３８】
LTEネットワーク内の無線信号強度を表すことが可能な主なパラメータのうちの1つとして、RSRPは、ある記号の形で基準信号を伝達するすべてのリソース要素(Resource Element、RE)において受信される信号電力の平均値である。
【００３９】
ステップ203、UEは、基地局によって送信されたそれぞれのRRUに関して構成されたCSI-RSを受信して、CSI-RSの時間周波数位置に従ってRSRPを測定する。
【００４０】
このステップで、UEは、基地局によって送信されたRRC接続再構成メッセージを受信することによって、基地局によってそれぞれのRRUに関して構成されたCSI-RSを取得して、CSI-RSに対応する期間およびオフセットを問い合わせ、CSI-RSに対応する問い合わされた期間およびオフセットに従って、CSI-RSの時間周波数位置を計算して、CSI-RSの計算された時間周波数位置におけるRSRPを測定する。
【００４１】
ステップ204、UEは、それぞれのCSI-RS、およびそれぞれのRRUに対応する測定されたRSRPを基地局に報告する。
【００４２】
あるいは、UEは、それぞれのCSI-RS、およびそれぞれのRRUに対応する測定されたRSRPをCSI-RS RSRP測定報告の形で基地局に報告することができる。ある隣接するRRUの測定されたCSI-RS RSRPと現在のRRUのCSI-RS RSRPとの間の差がプリセットされたしきい値よりも高いとき、UEはCSI-RS RSRP測定報告をトリガし、現在のRRUは複数のRRUを有する複合セル内のいずれかのRRUであってよく、隣接するRRUは、現在のRRUまたは複数のRRUを有する複合セル内のRRUに隣接するRRUであってよく、プリセットされたしきい値は、経験に従って設定されてよい。CSI-RS RSRP測定報告は、現在のRRUのCSI-RS、現在のRRUのCSI-RS RSRP、現在のRRUに隣接するそれぞれのRRUのCSI-RS、および現在のRRUに隣接するそれぞれのRRUのCSI-RS RSRPを含む。
【００４３】
加えて、UEは、他の様式を用いて、それぞれのCSI-RS、およびそれぞれのRRUに対応する測定されたRSRPを基地局に報告することも可能である。例えば、UEは、タイマを設定する様式を用いて、設定された時間が過ぎたとき、それぞれのCSI-RS、およびそれぞれのRRUに対応する測定されたRSRPを基地局に報告する。すなわち、本発明の実施形態は、UEを報告する様式を限定しない。
【００４４】
ステップ205、基地局は、UEによって報告されたそれぞれのCSI-RSおよびそれぞれのCSI-RSに対応するRSRPを受信して、複数のRRUを有する複合セル内のそれぞれのRRUのRSRPを獲得する。
【００４５】
このステップで、基地局は、UEによって報告された、受信されたそれぞれのCSI-RSおよびそれぞれのCSI-RSに対応するRSRPに従って、内部マッピングによってそれぞれのRRUのRSRPを取得する。詳細には、基地局は、ステップ201で、複数のRRUを有する複合セル内のそれぞれのRRUに関して構成された異なるCSI-RS、およびUEによって報告されたそれぞれのCSI-RSに対応する受信されたRSRPに従ってマッピングを実行することによって、複数のRRUを有する複合セル内のそれぞれのRRUのRSRPを取得することができる。
【００４６】
ステップ206、基地局は、複数のRRUを有する複合セル内のそれぞれのRRUの獲得されたRSRPに従って、複数のRRUを有する複合セル内の少なくとも1つのRRUのダウンリンク送信電力を調整する。
【００４７】
現在の実施形態で、図3に示されるように、UEは、黒線の枠によって表現された、セルCELL1のカバレッジ領域内にあるが、CELL2の信号はCELL1のカバレッジ領域内で比較的強く、その結果、UEはCELL2内に常駐することが可能にされる。従来技術では、ダウンリンク信号強度が測定されるとき、セルレベルのRSRPだけを獲得することができ、セル内のそれぞれのRRUのRSRPを獲得することができないため、唯一知ることができるのは、CELL2のダウンリンク信号はCELL1のカバレッジ領域内で比較的に強いということであり、すなわち、境界横断カバレッジは存在するが、CELL2内のどのRRUの電力が比較的高く設定されているかを具体的に知ることはできず、したがって、特定の調整を実行することができない。
【００４８】
加えて、別の状況も存在する。複数のRRUを有する複合セル内にパイロット汚染(pilot pollution)が存在する、すなわち、UEが常駐するある地点に過剰に強いパイロットが存在するが、UEの常駐を安定させるために十分に強いメインパイロットは存在しない。すなわち、複数のRRUを有するそれぞれの複合セルは、UEがあるセル内に安定して常駐することができないような、近似ダウンリンク信号強度を有する。従来技術では、ダウンリンク信号強度が測定されるとき、セルレベルのRSRPだけしか獲得することができず、セル内のそれぞれのRRUのRSRPを獲得することはできず、したがって、複数のRRUを有するいくつかの複合セルの信号は近似であり、パイロット汚染が存在することが知られている場合ですら、特定の調整を実行することはできないが、これはどのRRUのダウンリンク電力設定が調整されるべきかが分からないためである。
【００４９】
したがって、本実施形態では、境界横断カバレッジシナリオでは、CELL2内のあるRRUのRSRPは、複数のRRUを有する複合セル内のそれぞれのRRUのRSRPに従って、CELL2の境界横断カバレッジに至るまで過剰に大きく設定されることが判断される。この場合、そのRSRPがCELL2内であまりにも大きく設定されているRRUを調整することが可能である。加えて、パイロット汚染が伴うシナリオでは、複数のRRUを有する複合セル内の少なくとも1つのRRUのRSRPに従って、少なくとも1つのRRUのダウンリンク電力を設定することが可能であり、これにより、複数のRRUを有する複合セルのパイロット汚染が回避される。
【００５０】
詳細には、このステップで、RRUのダウンリンク電力は、次の2つの様式を採用することによって設定可能である。第1の様式で、基地局は、複数のRRUを有する複合セル内の少なくとも1つのRRUが調整されたダウンリンク電力を採用して伝送を実行するように、その少なくとも1つのRRUの出力電力調整値を設定する。
【００５１】
このようにして、既存のパラメータが設定され、すなわち、既存のパラメータ、セルID→キャビネット→ボックス→スロットに従ってRRU出力電力調整値が設定され、ここで、キャビネットはセルID内のパラメータであり、ボックスはキャビネット内のパラメータであり、スロットはボックス内のパラメータであり、スロット内のパラメータ、すなわち、RRU出力電力調整値が設定される。RRU出力電力調整値は、RRU送信電力に基づいて、いくつかのdBを増大または削減させるためのオフセットである。例えば、境界横断カバレッジシナリオでは、そのRSRPがCELL2内であまりにも大きく設定されているRRUの送信電力が削減され、その結果、境界横断カバレッジ状況が除去される。
【００５２】
第2の様式で、基地局は、複数のRRUを有する複合セル内の少なくとも1つのRRUが構成されたダウンリンク電力を採用して伝送を実行するように、その少なくとも1つのRRUのダウンリンク電力構成値を設定する。
【００５３】
このように、新しく追加されたパラメータが設定され、すなわち、セルID→セル内のRRUの数→キャビネット→ボックス→スロットに従ってそれぞれのRRUレベルのダウンリンク電力構成が設定され、すなわち、セル内のそれぞれのRRUのダウンリンク電力が再設定される。それぞれのRRUレベルのダウンリンク電力構成の新しく追加されたパラメータは、セルが複数のRRUを有する複合セルであるとき有効であり、セルが共通セルであるとき、それぞれのRRUレベルのダウンリンク電力構成の新しく追加されたパラメータは無効であり、元の実装様式が依然として採用されることに留意されたい。ダウンリンク電力構成の値は、それぞれのセルのセル固有基準信号(Cell-specific Reference Signal、CRS)パイロット信号の電力であり、この値は基地局側によってセルの送信電力と理解される。例えば、パイロット汚染が伴うシナリオでは、少なくとも1つのRRUのダウンリンク電力は、複数のRRUを有するそれぞれの複合セル内の少なくとも1つのRRUの獲得されたRSRPによってRRUレベルで設定され、その結果、1つのセルのパイロットは一次パイロットであり、UEはこのセル内に安定して常駐することができ、それによって、パイロット汚染を除去する。
【００５４】
本発明の実施形態によって提供される、基準信号受信電力を測定するための方法によれば、基地局は、複数のRRUを有する複合セルに関して、異なる時間周波数位置におけるCSI-RSを構成し、その結果、端末は、CSI-RSの時間周波数位置に従ってRSRPを測定することができ、基地局は、それぞれのRRUのRSRPを獲得して、それぞれのRRUのRSRPに従って電力調整を実行することができ、それによって、境界横断カバレッジ状況およびパイロット汚染状況を回避する。
【００５５】
本発明の実施形態は、基準信号受信電力を測定するための別の方法を提供する。図4に示されるように、この方法は、次のステップを含む。
【００５６】
ステップ401、基地局は、複数のRRUを有する複合セル内およびその隣接セル内のそれぞれのRRUに関して、異なる時間周波数位置におけるチャネル状態情報基準信号(CSI-RS)を構成する。
【００５７】
ステップ402、基地局は、ユーザ装置(UE)がそれぞれのCSI-RSの時間周波数位置に従って基準信号受信電力(RSRP)を測定するように、それぞれのCSI-RSをUEに送信する。
【００５８】
このステップで、基地局は、複数のRRUを有する複合セル内および隣接セル内のそれぞれのRRUに関して構成されたCSI-RSをUEに送信し、複数のRRUを有する複合セルおよび隣接セルは同じセル間協調送受信(Coordinated Multiple Points Transmission/Reception、CoMP)管理セットに属し、複数のRRUを有する複合セルは現在のセルと理解され、その隣接セルは現在のセルに隣接するセルである。CoMP管理セットは、せいぜい8つの測定目標を含むことが可能であり、測定目標はセルまたはRRUであってよい。
【００５９】
ステップ403、UEは、基地局によって送信されたそれぞれのRRUに関して構成されたCSI-RSを受信して、CSI-RSの時間周波数位置に従ってRSRPを測定する。
【００６０】
ステップ404、UEは、それぞれのCSI-RS、および複数のRRUを有する複合セル内およびその隣接セル内のそれぞれのRRUに対応する測定されたRSRPを基地局に報告する。
【００６１】
あるいは、UEは、それぞれのCSI-RS、およびそれぞれのRRUに対応する測定されたRSRPをCSI-RS RSRP測定報告の形で基地局に報告することができる。ある隣接するRRUの測定されたCSI-RS RSRPと現在のRRUのCSI-RS RSRPとの間の差がプリセットされたしきい値よりも高いとき、UEはCSI-RS RSRP測定報告をトリガし、現在のRRUは複数のRRUを有する複合セル内のいずれかのRRUであってよく、隣接するRRUは、現在のRRUまたは複数のRRUを有する複合セル内のRRUに隣接するRRUであってよく、プリセットされたしきい値は、経験に従って設定可能である。CSI-RS RSRP測定報告は、現在のRRUのCSI-RS、現在のRRUのCSI-RS RSRP、現在のRRUに隣接するそれぞれのRRUのCSI-RS、および現在のRRUに隣接するそれぞれのRRUのCSI-RS RSRPを含む。
【００６２】
加えて、UEは、他の様式を用いて、それぞれのCSI-RS、およびそれぞれのRRUに対応する測定されたRSRPを基地局に報告することも可能である。例えば、UEは、タイマを設定する様式を用いて、設定された時間が過ぎたとき、それぞれのCSI-RS、およびそれぞれのRRUに対応する測定されたRSRPを基地局に報告する。すなわち、本発明の実施形態は、UEの報告様式を限定しない。
【００６３】
ステップ405、基地局は、UEによって報告された、複数のRRUを有する複合セル内およびその隣接セル内のそれぞれのCSI-RSおよびそれぞれのCSI-RSに対応するRSRPを受信して、複数のRRUを有する複合セル内およびその隣接セル内のそれぞれのRRUのRSRPを獲得する。
【００６４】
このステップで、ステップ401〜405の動作は、図2のステップ201〜205と同じであり、違いは、図2は複数のRRUを有する複合セルに従った処理だけに関するのに対して、図4は複数のRRUを有する複合セルとその隣接セルとに従った処理に関することである。しかし、ステップ401〜405の特定の処理様式は、ステップ201〜205の処理様式と同じである。ステップ401〜405の動作は、図2のステップ201〜205の動作の記述を参照することができ、本明細書でさらに説明されない。
【００６５】
ステップ406、基地局は、複数のRRUを有する複合セル内およびその隣接セル内のそれぞれのRRUの獲得されたRSRPに従って、複数のRRUを有する新しい複合セルになるように複数のRRUを有する複合セルを調整する。
【００６６】
複数のRRUを有する新しい複合セルは、複数のRRUを有する複合セル内のRRUの一部またはすべてを含み、複数のRRUを有する複合セルの隣接セル内のRRUの一部またはすべてをやはり含む。
【００６７】
本実施形態では、既存のネットワークは、ネットワーク計画の後の期間に複数のRRUを有する複合セルのネットワーク構成を完了したが、長期にわたるパラメータ設定、無線周波数(Radio Frequency、RF)最適化などの手順により、ある種のRRUがセルとして結合されるという先の解決策はもはや最適な解決策ではなく、すなわち、いくつかのRRUを結合させてセルにする先の解決策によって、最適な干渉抑制などの効果をもはや達成することができない。さらに、従来技術を用いることによって、セルレベルのRSRPだけを取得することができ、したがって、複数のRRUを有する複合セルが再度計画される場合、唯一の可能な解決策は、既存の複数のRRUを有する複合セルを共通セルに分割して、それぞれの共通セルのRSRPを再度獲得し、次いで、ネットワーク計画ツールによる計算、すなわち、セルとして結合させるためにどのRRUが選択されるかによって、複数のRRUを有する新しい複合セルに関する最適な結合解決策が取得される。そのような大きな動きを伴う、この方法は、ネットワーク展開がネットワーク構成の後の期間にすでに固定されており、方法が大きな作業負荷を有する条件の下では基本的に不可能である。
【００６８】
したがって、本実施形態によって提供される解決策を採用することによって、複数のRRUを有する複合セル内およびその隣接セル内のそれぞれのRRUの獲得されたRSRPと、ネットワーク計画ツールの実装方法とに従って、複数のRRUを有する新しい複合セルになるように複数のRRUを有する複合セルを調整することが可能であり、それによって、最適な干渉抑制などの効果を達成する。
【００６９】
ネットワーク計画ツールの実装方法は、次のステップ、すなわち、複数のRRUを有する複合セルのパラメータ表、隣接セルリスト、隣接セルのRSRPなどの情報をネットワーク計画ツールに入力するステップと、基地局と隣接セルリストとの間の距離に従って、様々な異なる単一周波数ネットワーク(Single Frequency Network、SFN)複合セル結合を提供するステップと、それぞれのセル内のそれぞれのRRUのRSRP測定値を介して、様々なSFN複合セル結合に従って、あるSFN結合を用いてネットワーク全体の信号対干渉雑音比(Signal to Interference plus Noise Ratio、SINR)を取得するステップと、最終的に、複数のRRUを有する新しい複合セルとして、最大SINR、すなわち、最小干渉を有するSFN結合を獲得するステップとを含む。
【００７０】
セルとして複数のRRUを結合させるために、2つの結合様式を用いることが可能である。第1の様式では、同一のチャネルを有する複数のRRUが、SFNセルと名付けることができるセルとして結合さる。第2の様式で、N個のチャネルを有するRRUとM個のチャネルを有するRRUとが、N+Mセルと名付けることができるセルとして結合される。
【００７１】
本発明の実施形態によって提供される、基準信号受信電力を測定するための方法によれば、基地局は、複数のRRUを有する複合セルに関して、異なるCSI-RSを構成し、その結果、端末は、CSI-RSの時間周波数位置に従ってRSRPを測定することができ、基地局は、それぞれのRRUのRSRPを獲得して、複数のRRUを有する複合セル内および隣接セル内のそれぞれのRRUのRSRPに従って、複数のRRUを有する新しい複合セルになるように複数のRRUを有する元の複合セルを調整することができ、それによって、最適な干渉抑圧などの効果を達成する。
【００７２】
第2の実施形態
本発明の実施形態は、基準信号受信電力を測定するためのあるデバイスを提供する。このデバイスは基地局であってよい。図5に示されるように、このデバイスは、構成ユニット501と、送信ユニット502と、獲得ユニット503とを含む。
【００７３】
構成ユニット501は、複数のRRUを有する複合セル内のそれぞれのRRUに関して、または複数のRRUを有する複合セル内およびその隣接セル内のそれぞれのRRUに関して、異なる時間周波数位置におけるCSI-RSを構成するために使用される。
【００７４】
構成ユニット501は、複数のRRUを有する複合セル内の異なるRRUに関して、異なるCSI-RSを構成することができ、異なるCSI-RSは異なる時間周波数位置を有するCSI-RSを表し、時間周波数位置は、時間次元内のリソースと周波数次元内のリソースとが交差するリソース位置を表す。時間次元内のリソースは異なる伝送時間間隔(TTI)であってよく、周波数次元内のリソースは異なる物理リソースブロック(PRB)であってよい。詳細には、それぞれのRRUに関してCSI-RSを構成するとき、構成ユニット501は、複数のRRUを有する複合セル内のそれぞれのRRUのCSI-RSが異なることを保証することだけが必要である。したがって、通信プロトコル内で指定されたCSI-RSの異なる構成に従って、それぞれのRRUに関してCSI-RSを判断することが可能である。
【００７５】
送信ユニット502は、UEがそれぞれのCSI-RSの時間周波数位置に従ってRSRPを測定するように、それぞれのCSI-RSをUEに送信するために使用される。
【００７６】
具体的には、送信ユニット502は、複数のRRUを有する複合セル内のそれぞれのRRUに関して、または複数のRRUを有する複合セル内およびその隣接セル内のそれぞれのRRUに関して構成されたCSI-RSをUEに送信する。
【００７７】
送信ユニット502は、複数のRRUを有する複合セル内およびその隣接セル内のRRUに関して構成されたCSI-RSをUEに送信し、複数のRRUを有する複合セルおよび隣接セルは同じCoMP管理セットに属し、複数のRRUを有する複合セルは、現在のセルと理解され、その隣接セルは現在のセルに隣接するセルである。CoMP管理セットは、せいぜい8つの測定目標を含むことが可能であり、測定目標はセルまたはRRUであってよい。
【００７８】
送信ユニット502は、RRC接続再構成メッセージを送信することによって、それぞれのCSI-RSをUEに送信することができる。
【００７９】
LTEネットワーク内の無線信号強度を表すことが可能な主なパラメータのうちの1つとして、RSRPは、ある記号の形で基準信号を伝達するすべてのリソース要素(RE)において受信される信号電力の平均値である。
【００８０】
獲得ユニット503は、UEによって報告されたそれぞれのCSI-RSおよびそれぞれのCSI-RSに対応するRSRPを受信して、複数のRRUを有する複合セル内のそれぞれのRRUのRSRP、または複数のRRUを有する複合セル内およびその隣接セル内のそれぞれのRRUのRSRPを獲得するために使用される。
【００８１】
さらに、図6に示されるように、獲得ユニット503は、獲得モジュール5032によって、複数のRRUを有する複合セル内のそれぞれのRRUに関して構成された異なるCSI-RSおよびそれぞれのCSI-RSに応答するRSRPに従って、複数のRRUを有する複合セル内のそれぞれのRRUのRSRP、または複数のRRUを有する複合セル内およびその隣接セル内のそれぞれのRRUのRSRPを獲得するために使用される。
【００８２】
さらに、図6に示されるように、基地局が複数のRRUを有する複合セル内のそれぞれのRRUに関して、異なるCSI-RSを構成するとき、このデバイスは、第1の処理ユニット504と、第1の設定モジュール5041と、第2の設定モジュール5042とをさらに含む。
【００８３】
第1の処理ユニット504は、複数のRRUを有する複合セル内のそれぞれのRRUの獲得されたRSRPに従って、複数のRRUを有する複合セル内の少なくとも1つのRRUのダウンリンク送信電力を調整するために使用される。
【００８４】
具体的には、第1の処理ユニット504内の第1の設定モジュール5041は、複数のRRUを有する複合セル内の少なくとも1つのRRUが調整されたダウンリンク電力を採用して伝送を実行するように、その少なくとも1つのRRUの出力電力調整値を設定するために使用される。
【００８５】
RRU出力電力調整値は、RRU送信電力に基づいて、いくつかのdBを増大または削減させるためのオフセットである。例えば、境界横断カバレッジシナリオでは、UEはセルCELL1のカバレッジ領域内にあるが、CELL2の信号はCELL1のカバレッジ領域内で比較的強く、その結果、UEはCELL2内に常駐する。この場合、そのRSRPがCELL2内であまりにも大きく設定された、判断されたRRUの送信電力が低減され、その結果、境界横断カバレッジ状況が除去される。
【００８６】
第1の処理ユニット504内の第2の設定モジュール5042は、複数のRRUを有する複合セル内の少なくとも1つのRRUが構成されたダウンリンク電力を採用して、伝送を実行するように、その少なくとも1つのRRUのダウンリンク電力構成値を設定するために使用される。パイロット汚染が伴うシナリオでは、少なくとも1つのRRUのダウンリンク電力は、複数のRRUを有するそれぞれの複合セル内のそれぞれのRRUの獲得されたRSRPによってRRUレベルで設定され、その結果、1つのセルのパイロットが一次パイロットであり、UEはこのセル内に安定して常駐することができ、それによって、パイロット汚染を除去する。
【００８７】
さらに、図6に示されるように、基地局が複数のRRUを有する複合セル内およびその隣接セル内のそれぞれのRRUに関して、異なるCSI-RSを構成するとき、このデバイスは第2の処理ユニット505をさらに含む。
【００８８】
第2の処理ユニット505は、複数のRRUを有する複合セル内およびその隣接セル内のそれぞれのRRUの獲得されたRSRPに従って、複数のRRUを有する新しい複合セルになるように複数のRRUを有する複合セルを調整するために使用され、複数のRRUを有する新しい複合セルは、複数のRRUを有する複合セル内のRRUの一部またはすべてを含み、複数のRRUを有する複合セルの隣接セル内のRRUの一部またはすべてをやはり含む。
【００８９】
本発明の実施形態によって提供される、基準信号受信電力を測定するためのデバイスによれば、構成ユニットは、複数のRRUを有する複合セルに関するそれぞれのRRUに関して、または複数のRRUを有する複合セル内およびその隣接セル内のそれぞれのRRUに関して、異なる時間周波数位置においてCSI-RSを構成するために使用され、送信ユニットは、UEがそれぞれのCSI-RSの時間周波数位置に従ってRSRPを測定するように、それぞれのCSI-RSをUEに送信するために使用され、獲得ユニットは、UEによって報告されたそれぞれのCSI-RSおよびそれぞれのCSI-RSに対応するRSRPを受信して、複数のRRUを有する複合セル内のそれぞれのRRU、または複数のRRUを有する複合セル内およびその隣接セル内のそれぞれのRRUのRSRPを獲得するために使用される。本発明の実施形態によって提供される解決策を用いることによって、複数のRRUを有する複合セル内のそれぞれのRRUに関して、または複数のRRUを有する複合セル内およびその隣接セル内のそれぞれのRRUに関して、異なるCSI-RSを構成することが可能であり、その結果、端末は、CSI-RSの時間周波数位置に従ってRSRPを測定することができ、それによって、それぞれのRRUのRSRPを獲得する。
【００９０】
本発明の実施形態は基地局を提供する。図7に示されるように、基地局は、プロセッサ701と、送信機702と、受信機703とを含む。
【００９１】
プロセッサ701は、複数のRRUを有する複合セル内のそれぞれのRRUに関して、または複数のRRUを有する複合セル内およびその隣接セル内のそれぞれのRRUに関して、異なる時間周波数位置におけるCSI-RSを構成するために使用される。
【００９２】
送信機702は、UEがそれぞれのCSI-RSの時間周波数位置に従ってRSRPを測定するように、それぞれのCSI-RSをUEに送信するために使用される。
【００９３】
受信機703は、UEによって報告されたそれぞれのCSI-RSおよびそれぞれのCSI-RSに対応するRSRPを受信するために使用され、プロセッサ701は、複数のRRUを有する複合セル内のそれぞれのRRUのRSRP、または複数のRRUを有する複合セル内およびその隣接セル内のそれぞれのRRUのRSRPを獲得するためにさらに使用される。
【００９４】
さらに、プロセッサ701が複数のRRUを有する複合セル内のそれぞれのRRUのRSRP、または複数のRRUを有する複合セル内およびその隣接セル内のそれぞれのRRUのRSRPを獲得するとき、プロセッサ701は、具体的には、複数のRRUを有する複合セル内のそれぞれのRRUに関して構成された異なるCSI-RSおよびそれぞれのCSI-RSに対応するRSRPに従って、複数のRRUを有する複合セル内のそれぞれのRRUのRSRP、または複数のRRUを有する複合セル内およびその隣接セル内のそれぞれのRRUのRSRPを獲得するために使用される。
【００９５】
さらに、基地局が複数のRRUを有する複合セル内のそれぞれのRRUに関して、異なるCSI-RSを構成するとき、プロセッサ701は、複数のRRUを有する複合セル内のそれぞれのRRUの獲得されたRSRPに従って、複数のRRUを有する複合セル内の少なくとも1つのRRUのダウンリンク送信電力を調整するためにさらに使用される。
【００９６】
具体的には、プロセッサ701は、複数のRRUを有する複合セル内の少なくとも1つのRRUが調整されたダウンリンク電力を採用して伝送を実行するように、その少なくとも1つのRRUの出力電力調整値を設定するか、またはプロセッサ701は、複数のRRUを有する複合セル内の少なくとも1つのRRUが構成されたダウンリンク電力を採用して伝送を実行するように、その少なくとも1つのRRUのダウンリンク電力構成値を設定する。
【００９７】
RRU出力電力調整値は、RRU送信電力に基づいて、いくつかのdBを増大または削減させるためのオフセットである。例えば、境界横断カバレッジシナリオでは、UEはセルCELL1のカバレッジ領域内にあるが、CELL2の信号はCELL1のカバレッジ領域内で比較的強く、その結果、UEはCELL2に常駐する。この場合、そのRSRPがCELL2内であまりにも大きく設定された、判断されたRRUの送信電力は削減され、その結果、境界横断カバレッジ状況が除去される。
【００９８】
パイロット汚染が伴うシナリオでは、少なくとも1つのRRUのダウンリンク電力は複数のRRUを有するそれぞれの複合セル内のそれぞれのRRUの獲得されたRSRPによってRRUレベルで設定され、その結果、1つのセルは主要パイロットであり、UEはこのセル内で安定して常駐することができ、それによって、パイロット汚染を除去する。
【００９９】
さらに、基地局が複数のRRUを有する複合セル内およびその隣接セル内のそれぞれのRRUに関して、異なるCSI-RSを構成するとき、プロセッサ701は、複数のRRUを有する複合セル内およびその隣接セル内のそれぞれのRRUの獲得されたRSRPに従って、複数のRRUを有する新しい複合セルになるように複数のRRUを有する複合セルを調整するためにさらに使用され、複数のRRUを有する新しい複合セルは、複数のRRUを有する複合セル内のRRUの一部またはすべてを含み、複数のRRUを有する複合セルの隣接セル内のRRUの一部またはすべてをやはり含む。
【０１００】
本発明の実施形態によって提供される基地局に従って、プロセッサは、複数のRRUを有する複合セル内のそれぞれのRRUに関して、または複数のRRUを有する複合セル内およびその隣接セル内のそれぞれのRRUに関して、異なる時間周波数位置におけるCSI-RSを構成し、送信機は、UEがそれぞれのCSI-RSの時間周波数位置に従ってRSRPを測定するように、それぞれのCSI-RSをUEに送信し、受信機は、UEによって報告されたそれぞれのCSI-RSおよびそれぞれのCSI-RSに対応するRSRPを受信し、プロセッサは、複数のRRUを有する複合セル内のそれぞれのRRUのRSRP、または複数のRRUを有する複合セル内およびその隣接セル内のそれぞれのRRUのRSRPを獲得する。本発明の実施形態によって提供される解決策を用いることによって、複数のRRUを有する複合セル内のそれぞれのRRUに関して、または複数のRRUを有する複合セル内およびその隣接セル内のそれぞれのRRUに関して、異なるCSI-RSを構成することが可能であり、その結果、端末はCSI-RSの時間周波数位置に従ってRSRPを測定することができ、それによって、それぞれのRRUのRSRPを獲得する。
【０１０１】
上で説明されたデバイスの実施形態は単なる例であり、別個の構成要素として例示されたユニットは物理的に分離されてよく、または分離されなくてもよく、ユニットとして表示された構成要素は物理的ユニットであってよく、物理的ユニットでなくてもよく、すなわち、これらの構成要素は、1つの位置に配置されてよく、または複数のネットワークユニット上に分散されてもよいことに留意されたい。本発明の実施形態の解決策の目的は、実際のニーズに従って、モジュールの一部またはすべてを選択することによって実現されうる。当業者は、創造的な取組みを伴わずに、本実施形態を理解および実施することが可能である。
【０１０２】
上記の実施形態の説明を介して、本発明は、ソフトウェアおよび必要な汎用ハードウェアによって実施可能であり、専用集積回路、専用CPU、専用メモリ、専用構成要素などを含めて、専用ハードウェアによって実施されることも当然可能であることを当業者は明瞭に理解されよう。しかし、多くの条件下で前者はより良好な実装様式である。そのような理解に基づいて、従来技術に貢献する本発明または本発明の一部の技術的解決策の本質は、ソフトウェア製品の形で実施可能であり、コンピュータソフトウェア製品は、(パーソナルコンピュータ、サーバ、ネットワーク装置などであってよい)あるコンピュータ装置が本発明のそれぞれの実施形態で説明された方法を実行することを可能にする複数の命令を含む、例えば、コンピュータのソフトディスク、Uディスク、モバイルハードディスク、読出し専用メモリ(ROM、Read-Only Memory)、ランダムアクセスメモリ(RAM、Random Access Memory)、ディスク、光ディスクなど、可読記憶媒体内に記憶される。
【０１０３】
本明細書のそれぞれの実施形態は漸進的な形でもっぱら説明されている。それぞれの実施形態の同一部分または類似部分は互いを指す場合があり、それぞれの実施形態の説明は、その実施形態の他の実施形態との違いに重点が置かれている。詳細には、デバイスおよびシステムの実施形態は比較的簡単に説明されているが、これはそれらが方法の実施形態と基本的に類似し、単に方法の実施形態の関連する部分に関する説明を指すためである。
【０１０４】
前述の説明は、本発明の保護範囲を限定するのではなく、本発明の単なる好ましい特定の実装様式である。本発明によって開示される技術範囲内で任意のある当業者が容易に考案する何らかの変更形態または置換形態は本発明の保護範囲に包含されるべきである。したがって、本発明の保護範囲は特許請求の範囲によって定義されるべきである。
【符号の説明】
【０１０５】
501  構成ユニット
502  送信ユニット
503  獲得ユニット
504  第1の処理ユニット
505  第2の処理ユニット
701  プロセッサ
702  送信機
703  受信機
5032  獲得モジュール
5041  第1の設定モジュール
5042  第2の設定モジュール
【図１】
2015505181.tif 000003
【図２】
2015505181.tif 000004
【図３】
2015505181.tif 000005
【図４】
2015505181.tif 000006
【図５】
2015505181.tif 000007
【図６】
2015505181.tif 000008
【図７】
2015505181.tif 000009
【手続補正書】
【提出日】平成26年6月5日(2014.6.5)
【手続補正１】
【補正対象書類名】明細書
【補正対象項目名】０００３
【補正方法】変更
【補正の内容】
【０００３】
現在、無線遠隔ユニット(Radio Remote Unit、RRU)セル結合技法によってセル間干渉の問題を解決することができる。次の2つの結合様式を採用することによって、複数のRRUがセルとして結合される。第1の様式では、単一周波数ネットワーク(Single Frequency Network、SFN)セルと名付けることができるセルとして、同数のチャネルを有する複数のRRUが結合される。第2の様式では、N+Mセルと名付けることができるセルとして、N個のチャネルを有するRRUとM個のチャネルを有するRRUとが結合される。
【手続補正２】
【補正対象書類名】明細書
【補正対象項目名】００５１
【補正方法】変更
【補正の内容】
【００５１】
このようにして、既存のパラメータが設定され、すなわち、既存のパラメータ、セルID→キャビネット→ボックス→スロットに従ってRRU出力電力調整値が設定され、ここで、キャビネットはセル内のパラメータであり、ボックスはキャビネット内のパラメータであり、スロットはボックス内のパラメータであり、スロット内のパラメータ、すなわち、RRU出力電力調整値が設定される。RRU出力電力調整値は、RRU送信電力に基づいて、いくつかのdBを増大または削減させるためのオフセットである。例えば、境界横断カバレッジシナリオでは、そのRSRPがCELL2内であまりにも大きく設定されているRRUの送信電力が削減され、その結果、境界横断カバレッジ状況が除去される。
【手続補正３】
【補正対象書類名】明細書
【補正対象項目名】００５３
【補正方法】変更
【補正の内容】
【００５３】
このように、新しく追加されたパラメータが設定され、すなわち、セルID→セル内のRRUの数→キャビネット→ボックス→スロットに従ってそれぞれのRRUレベルのダウンリンク電力構成が設定され、すなわち、セル内のそれぞれのRRUのダウンリンク電力が再設定される。それぞれのRRUレベルのダウンリンク電力構成の新しく追加されたパラメータは、セルが複数のRRUを有する複合セルであるとき有効であり、セルが共通セルであるとき、それぞれのRRUレベルのダウンリンク電力構成の新しく追加されたパラメータは無効であり、元の実装様式が依然として採用されることに留意されたい。ダウンリンク電力構成の値は、それぞれのセルのセル固有基準信号(Cell-specific Reference Signal、CRS)の電力であり、この値は基地局側によってセルの送信電力と理解される。例えば、パイロット汚染が伴うシナリオでは、少なくとも1つのRRUのダウンリンク電力は、複数のRRUを有するそれぞれの複合セル内の少なくとも1つのRRUの獲得されたRSRPによってRRUレベルで設定され、その結果、1つのセルのパイロットは一次パイロットであり、UEはこのセル内に安定して常駐することができ、それによって、パイロット汚染を除去する。
【手続補正４】
【補正対象書類名】明細書
【補正対象項目名】００７０
【補正方法】変更
【補正の内容】
【００７０】
セルとして複数のRRUを結合させるために、2つの結合様式を用いることが可能である。第1の様式では、同数のチャネルを有する複数のRRUが、SFNセルと名付けることができるセルとして結合さる。第2の様式で、N個のチャネルを有するRRUとM個のチャネルを有するRRUとが、N+Mセルと名付けることができるセルとして結合される。
【手続補正５】
【補正対象書類名】明細書
【補正対象項目名】００８１
【補正方法】変更
【補正の内容】
【００８１】
さらに、図6に示されるように、獲得ユニット503は、複数のRRUを有する複合セル内のそれぞれのRRUに関して構成された異なるCSI-RSおよびそれぞれのCSI-RSに応答するRSRPに従って、複数のRRUを有する複合セル内のそれぞれのRRUのRSRP、または複数のRRUを有する複合セル内およびその隣接セル内のそれぞれのRRUのRSRPを獲得するために使用される。
【国際調査報告】
2015505181.tif 000010
2015505181.tif 000011
2015505181.tif 000012
2015505181.tif 000013